(57)【要約】【課題】循環ポンプへゴミが吸い込まれることが良好に防がれ、いつも綺麗な浴槽水に維持できる浴槽水浄化システムを提供する。【解決手段】浴槽１の側壁１ａの外側に水を溜めることのできる水溜部３を設け、この水溜部３内へ浴槽の開口からゴミを含んだ浴槽水を流下させるように構成し、水溜部３の底側に吸込口３ａと排出口３ｂを設け、この吸込口３ａと排出口３ｂ間を循環ポンプ６で連繋させ、循環ポンプ６の作動により吸込口３ａから水溜部３内の水を吸い出して排出口３ｂから水溜部３内へ水を噴出させるように構成するとともに、排出口３ｂから噴出される水により、水溜部３内へ浴槽水が流下する部位に上向きの力が生じるように構成する。【選択図】図１
2009268601.tif 000002
【特許請求の範囲】
【請求項１】
浴槽の側壁外側に水を溜めることのできる水溜部を設け、該水溜部内へ前記浴槽側壁の開口からゴミ等を含んだ浴槽水を流下させるように構成した浴槽水浄化システムにおいて、前記水溜部の底側に吸込口と排出口を設けて該吸込口と排出口との間を循環ポンプで連繋させ、該循環ポンプの作動により前記吸込口から前記水溜部内の水を吸い出して前記排出口から該水溜部内へ水を噴出させるように構成するとともに、前記排出口から噴出される水により、前記開口から浴槽水が流下する部位に上向きの力が生じるように構成したことを特徴とする浴槽水浄化システム。
【請求項２】
前記排出口は、前記開口から浴槽水が流下する部位の下方の前記水溜部底面に上向きに設けられていることを特徴とする請求項１に記載の浴槽水浄化システム。
【請求項３】
前記排出口から噴出される水流により前記水溜部内で渦流が発生するように構成し、該渦流の上昇力により前記開口から流下する浴槽水が押し上げられるように構成したことを特徴とする請求項１に記載の浴槽水浄化システム。
【請求項４】
浴槽の側壁外側に水を溜めることのできる水溜部を設け、該水溜部内へ前記浴槽側壁の開口からゴミ等を含んだ浴槽水を流下させるように構成した浴槽水浄化システムにおいて、前記水溜部の底側に吸込口と排出口を設けて該吸込口と排出口との間を循環ポンプで連繋させ、該循環ポンプの作動により前記吸込口から前記水溜部内の水を吸い出して前記排出口から該水溜部内へ水を噴出させるように構成するとともに、前記排出口は、前記開口から浴槽水が流下する部位より前記吸込口側の水溜部底面に上向きに設けられていることを特徴とする浴槽水浄化システム。
【請求項５】
浴槽の側壁外側に水を溜めることのできる水溜部を設け、該水溜部内へ前記浴槽側壁の開口からゴミ等を含んだ浴槽水を流下させるように構成した浴槽水浄化システムにおいて、前記水溜部に吸込口を設けて該吸込口を循環ポンプに連繋させ、該循環ポンプの作動により前記吸込口から前記水溜部内の水を吸い出すように構成するとともに、前記水溜部底面に空気吹出口を設け、該空気吹出口にエアポンプを連繋させ、前記空気吹出口から噴出される空気により、前記開口から浴槽水が流下する部位に上向きの力が生じるように構成したことを特徴とする浴槽水浄化システム。
【請求項６】
浴槽の側壁外側に水を溜めることのできる水溜部を設け、該水溜部内へ前記浴槽側壁の開口からゴミ等を含んだ浴槽水を流下させるように構成した浴槽水浄化システムにおいて、前記水溜部に吸込口を設けて該吸込口を循環ポンプに連繋させ、該循環ポンプの作動により前記吸込口から前記水溜部内の水を吸い出すように構成するとともに、前記開口から浴槽水が流下する部位より前記吸込口側の水溜部底面に空気吹出口を設け、該空気吹出口にエアポンプを連繋させたことを特徴とする浴槽水浄化システム。
【発明の詳細な説明】
【技術分野】
【０００１】
本発明は、浴槽水中のゴミ等を良好に除去して、いつも綺麗な浴槽水に維持できる浴槽水浄化システムに関するものである。
【背景技術】
【０００２】
従来、特許文献１に開示されているように、浴槽にサブタンクを設け、このサブタンクの底側にフィルターを設けて、浴槽水に浮かぶ垢や髪の毛等のゴミを有効に回収することができるように構成したものが存在する。
【特許文献１】特開平７−２３２０１４号公報
【発明の開示】
【発明が解決しようとする課題】
【０００３】
上記従来の構造ではフィルターが存在するため、フィルターを定期的に取り外してフィルターに付着したゴミ等を除去する必要があり、定期的なメンテナンスが必要になるという問題点があった。
【課題を解決するための手段】
【０００４】
本発明は、メンテナンスが不要であり、いつも綺麗な浴槽水に維持できる浴槽水浄化システムの提供を目的の１つとし、この目的の少なくとも一部を達成するために以下の手段を採った。
本発明は、浴槽の側壁外側に水を溜めることのできる水溜部を設け、該水溜部内へ前記浴槽側壁の開口からゴミ等を含んだ浴槽水を流下させるように構成した浴槽水浄化システムにおいて、前記水溜部の底側に吸込口と排出口を設けて該吸込口と排出口との間を循環ポンプで連繋させ、該循環ポンプの作動により前記吸込口から前記水溜部内の水を吸い出して前記排出口から該水溜部内へ水を噴出させるように構成するとともに、前記排出口から噴出される水により、前記開口から浴槽水が流下する部位に上向きの力が生じるように構成したことを要旨とする。
【発明の効果】
【０００５】
本発明では、水溜部内の浴槽水が流下する部位に、上向きの力が生じるため、浴槽から水溜部に流下したゴミ等の水溜部内での沈降距離が縮められるため、循環ポンプの吸込口からゴミ等が吸い込まれることが良好に防がれるものとなる。
【０００６】
また、本発明の浴槽水浄化システムにおいて、前記排出口は、前記開口から浴槽水が流下する部位の下方の前記水溜部底面に上向きに設けられている構成とすることもできる。
こうすれば、排出口を通って上向きに水溜部内に水が噴出されるため、浴槽の開口から水溜部内に流下してきたゴミ等の沈降距離が縮められ、循環ポンプの吸込口にゴミ等が吸い込まれることが防止される。
【０００７】
また、本発明の浴槽水浄化システムにおいて、前記排出口から噴出される水流により前記水溜部内で渦流が発生するように構成し、該渦流の上昇力により前記開口から流下する浴槽水が押し上げられるように構成することもできる。
こうすれば、水溜部内に発生した渦流の外側に上向きの力、即ち上昇力が発生するため、浴槽の開口から流下してきたゴミ等の沈降距離が縮められ、循環ポンプの吸込口からゴミ等を吸い込むことが防がれる。
【０００８】
また、本発明は、浴槽の側壁外側に水を溜めることのできる水溜部を設け、該水溜部内へ前記浴槽側壁の開口からゴミ等を含んだ浴槽水を流下させるように構成した浴槽水浄化システムにおいて、前記水溜部の底側に吸込口と排出口を設けて該吸込口と排出口との間を循環ポンプで連繋させ、該循環ポンプの作動により前記吸込口から前記水溜部内の水を吸い出して前記排出口から該水溜部内へ水を噴出させるように構成するとともに、前記排出口は、前記開口から浴槽水が流下する部位より前記吸込口側の水溜部底面に上向きに設けられ、該排出口から噴出される水流により、前記開口から浴槽水が流下する部位と前記吸込口とが遮断されるように構成することもできる。
こうすれば、浴槽の開口から水が流下する部位と吸込口との間に、排出口から噴出される水流によるカーテンが生じて、この水流によるカーテンにより、浴槽から水が流下する部位と吸込口との間が遮断されるため、ゴミ等が吸込口へ近づきにくくなり、ゴミ等が循環ポンプの吸込口に吸い込まれることが防がれる。
【０００９】
また、本発明は、浴槽の側壁外側に水を溜めることのできる水溜部を設け、該水溜部内へ前記浴槽側壁の開口からゴミ等を含んだ浴槽水を流下させるように構成した浴槽水浄化システムにおいて、前記水溜部に吸込口を設けて該吸込口を循環ポンプに連繋させ、該循環ポンプの作動により前記吸込口から前記水溜部内の水を吸い出すように構成するとともに、前記水溜部底面に空気吹出口を設け、該空気吹出口にエアポンプを連繋させ、前記空気吹出口から噴出される空気により、前記開口から浴槽水が流下する部位に上向きの力が生じるように構成することもできる。
こうすれば、水溜部内の浴槽水が流下する部位に、上向きの力が生じるため、浴槽から水溜部に流下したゴミ等の水溜部内での沈降距離が縮められるため、循環ポンプの吸込口からゴミ等が吸い込まれることが良好に防がれるものとなる。
【００１０】
また、本発明は、浴槽の側壁外側に水を溜めることのできる水溜部を設け、該水溜部内へ前記浴槽側壁の開口からゴミ等を含んだ浴槽水を流下させるように構成した浴槽水浄化システムにおいて、前記水溜部に吸込口を設けて該吸込口を循環ポンプに連繋させ、該循環ポンプの作動により前記吸込口から前記水溜部内の水を吸い出すように構成するとともに、前記開口から浴槽水が流下する部位より前記吸込口側の水溜部底面に空気吹出口を設け、該空気吹出口にエアポンプを連繋させて構成することもできる。
こうすれば、浴槽の開口から水が流下する部位と吸込口との間に、空気吹出口から噴出される空気によるカーテンが生じて、この空気によるカーテンにより、浴槽から水が流下する部位と吸込口との間が遮断されるため、ゴミ等が吸込口へ近づきにくくなり、ゴミ等が循環ポンプの吸込口に吸い込まれることが防がれる。
【発明を実施するための最良の形態】
【００１１】
次に、本発明を実施するための最良の形態を実施例を用いて説明する。
【実施例１】
【００１２】
図１は、浄化システムを備えた浴槽の外観斜視図であり、図２は、内部構造を示す一部破断斜視構成図である。また、図３は、図２の要部拡大斜視図である。
浴槽１は、側壁１ａの上端側に水平に外側へ突出してフランジ部１ｂが形成されており、本例の浴槽１では、側壁１ａの外側のフランジ部１ｂ付近に水溜部３が取り付けられている。この水溜部３は側壁１ａ側のみが平面状の円筒形に形成されたものであり、内部に浴槽水を溜めることができるものである。
【００１３】
なお、図３に示すように、浴槽の側壁１ａには開口２が貫通形成されており、この開口２から水溜部３内に浴槽水が流下するように構成されており、開口２から浴槽水が水溜部３内に流下しやすいようにガイド部３ｃが形成されている。
水溜部３の底側には吸込口３ａと排出口３ｂが開口されており、吸込口３ａには吸込管４が接続され、排出口３ｂには排出管５が接続されており、吸込管４と排出管５の途中に循環ポンプ６が接続されている。
この循環ポンプ６から吐出管７が延出されており、吐出管７から排出管５の分岐部５ａが分岐されている。吐出管７の先端は浴槽１の側壁１ａの底側に連通されており、吐出管７の先端にはマイクロバブルを発生させる気泡発生器８を取り付けておいても良い。
【００１４】
なお、水溜部３の底面中央部には水抜きバルブ９が設けられており、この水抜きバルブ９を回動させて水溜部３内の水を抜くことができるように構成されている。
水溜部３は、例えば直径が１００〜１５０ｍｍ程度に設定されており、また、浴槽側壁１ａの開口２の横幅寸法は４０ｍｍ程度に設定されている。この開口２は図３に示すように、水溜部３内の右側寄りに開口されている。
なお、水溜部３の底側に形成されている吸込口３ａと排出口３ｂは、水溜部３の内周面に対し接線方向に向くように開口されている。なお、開口２から水溜部３内に流下する浴槽水の落差は３０〜８０ｍｍ程度となっている。
【００１５】
次に、このような浴槽水浄化システムの動作を説明する。
循環ポンプ６が作動されると、水溜部３内の水は吸込口３ａから吸込管４内に吸い込まれて、吐出管７および排出管５を通り排出され、排出管５を通って排出口３ｂから水溜部３内に水が噴出されることとなり、また、吐出管７の先端から浴槽１内に水流Ｗａが噴出されることとなる。吐出管７から浴槽１内に噴出された水流Ｗａは、浴槽１の対向する側壁１ａにぶつかり、上昇して旋回流Ｗｂとなって開口２側へ流れ、ゴミや髪の毛を含んだ浴槽水が開口２から水溜部３内に流下することとなる。
なお、気泡発生器８が設けられている場合には、水流Ｗａにマイクロバブルが含まれるため、このマイクロバブルにより浴槽水中のゴミを良好に浮かせて開口２から水溜部３内に流下させることができるものとなる。
【００１６】
また、排出管５を通り排出口３ｂから水溜部３内に噴出される水は、排出口３ｂが水溜部３の内周面に対し接線方向に開口されているため、水は水溜部３の内周面に沿って旋回し、水溜部３内に渦流Ｗｒが発生する。なお、吸込口３ａも水溜部３の内周面に対し接線方向に開口されているため、より良好に水溜部３内で渦流Ｗｒが発生し、渦流Ｗｒは旋回して渦流Ｗｒの外側に上昇力が生ずることとなり、この渦流Ｗｒの外側に、前記開口２から浴槽水がガイド部３ｃを介して流下されるように設定されており、渦流Ｗｒの上昇力により開口２から流下する浴槽水中のゴミ等の沈降距離が縮められることとなり、そのためゴミ等は吸込口３ａまで達することなく浮上し、ゴミ等が循環ポンプ６に吸い込まれることを防止できる設計となっている。
【００１７】
なお、渦流Ｗｒによりゴミ等は渦流Ｗｒの中心部に良好に集められることとなり、水溜部３の底面中央部に設けられている水抜きバルブ９を操作することで、渦流の中心下端からゴミ等を水抜きバルブ９を通して外部に排出することができるものである。
なお、開口２を縦長形状にしておくと、水溜部３内で渦流Ｗｒが発生し易いものとなる。
【実施例２】
【００１８】
次に、図４および図５では第２実施例を示す。
図４は外観図であり、図５は内部構造を示す破断斜視図である。
本例では、浴槽の側壁１ａの外側に四角箱状の水溜部３が取り付けられており、水溜部３の底面に吸込口３ａと排出口３ｂが開口されており、吸込口３ａには吸込管４が接続され、排出口３ｂには排出管５が接続されている。
循環ポンプ６には吸込管４が接続され、また、循環ポンプ６から吐出管７が延出されており、この吐出管７から分岐して排出管５が設けられている。また、吐出管７の先端には気泡発生器８が設けられており、気泡発生器８を通してマイクロバブルを含んだ水流Ｗａが浴槽１内に噴出されるように構成されている。
【００１９】
水溜部３内に浴槽水を流下させるための開口２は、水溜部３内の図示左端側に開口されており、この左端側の開口２からガイド部３ｃにガイドされて水溜部３内の図示左端側に浴槽水が流下されるものであり、この流下される浴槽水の真下に前記排出口３ｂが上向きに配置されている。また、吸込口３ａは水溜部３の図示右端側に配置されている。
このような構成において、循環ポンプ６が作動されると、水溜部３内の水が吸込口３ａから吸込管４内に吸い込まれて、吐出管７を通り排出され、気泡発生器８を通りマイクロバブルを含んだ水流Ｗａが浴槽１内に噴出されて、浴槽１内で旋回流Ｗｂが発生し、旋回流Ｗｂにより浴槽水とともに髪の毛，ゴミ等が開口２から水溜部３内に流下されるものである。
【００２０】
また、排出管５を通り排出口３ｂから水溜部３内に水が噴出されるが、この排出口３ｂは上向きに開口されているため、排出口３ｂから上向きに水が噴出されることで、開口２から流下する浴槽水中のゴミ等の沈降距離が縮められることとなり、そのためゴミ等は水溜部３内で浮遊し、吸込口３ａ側にゴミ等が吸い込まれることが防がれ、循環ポンプ６へのゴミ等の吸い込みが防がれるものである。
なお、水溜部３内で浮遊したゴミは、水溜部３の側面に設けられている排水バルブ９を操作することで外部に排出することができる。
【実施例３】
【００２１】
次に、図６および図７では第３実施例を示す。
図６は外観斜視図であり、図７は内部構造を示す破断斜視図である。
本例では、浴槽１の側壁１ａの外側に取り付けられた箱状の水溜部３の底面に、３個の吸込口３ａ，３ａ，３ａが開口され、また、水溜部３の底面の図示左端側に１個の排出口３ｂが開口されたものである。この排出口３ｂの上方に側壁１ａの開口２が配置されている。また、水溜部３の左側面には水抜きバルブ９が設けられている。
その他の構成は第２実施例とほぼ同様であり、同一符号を付してその説明を省略する。
【００２２】
本例においては、吸込口３ａ，３ａ，３ａを複数個設けたため、吸込口３ａの１個所当たりの吸い込み流速を減らすことができ、吸い込み力を低減させることができて、ゴミ等の吸込管４内への吸い込みを防ぐことができるものである。
また、排出口３ｂは上向きに開口されており、排出口３ｂから噴出される上向きの水流により、開口２から流下する浴槽水中のゴミ等の沈降距離が縮められることとなり、ゴミが吸込口３ａから吸い込まれることがなくなり、循環ポンプ６内へゴミ等が吸い込まれることが良好に防がれる。
【実施例４】
【００２３】
次に、図８および図９は第４実施例を示す。
図８は外観斜視図であり、図９は内部構造を示す破断斜視図である。
本例においても、吸込口３ａ，３ａ，３ａが水溜部３の底面に３個所開口されている。また、本例では、排出口３ｂは、吸込口３ａ側の水溜部３の底面に上向きに開口されている。この排出口３ｂよりも図示左側に側壁１ａの開口２が配置されており、開口２から水溜部３内に流下する浴槽水と、吸込口３ａから吸込管４内に吸い込まれる水との間に、排出口３ｂから水流を噴出させて水流によるカーテンを形成し、この水流によるカーテンにより、吸込口３ａ側へのゴミの移動を遮断するように構成したものである。
【００２４】
このように構成することで吸込口３ａからゴミ等が循環ポンプ６側へ吸い込まれることがなく、循環ポンプ６にゴミが吸い込まれることが良好に防がれるものである。
その他の構成および効果は、第３実施例のものとほぼ同様であり、同一部材については同一符号を付してその説明を省略する。
なお、本例では３個の吸込口３ａ，３ａ，３ａを設けたものを例示しているが、吸込口３ａは１個でも良いし、３個より多くても良い。
【実施例５】
【００２５】
次に、図１０および図１１では第５実施例を示す。
図１０は外観斜視図であり、図１１は内部構造を示す破断斜視図である。
本例では、浴槽１の側壁１ａの外側に取り付けられた箱状の水溜部３の底面に、３個の吸込口３ａ，３ａ，３ａが開口され、吸込口３ａ，３ａ，３ａには吸込管４が接続され、吸込管４に循環ポンプ６が接続されている。この循環ポンプ６から吐出管７が延出されており、吐出管７の先端は浴槽１の側壁１ａの底側に連通され、吐出管７の先端には気泡発生器８が設けられて、気泡発生器８を通してマイクロバブルを含んだ水流Ｗａが浴槽１内に噴出されるように構成されている。
また、本例では、水溜部３の底面に１個の空気吹出口１０が開口されており、この空気吹出口１０には、エア管１２を介しエアポンプ１１が連繋接続され、エアポンプ１１の作動により空気吹出口１０から気泡状の空気が上向きに噴出されるように構成されている。
また、水溜部３の左側面には水抜きバルブ９が設けられている。
【００２６】
空気吹出口１０は、吸込口３ａ，３ａ，３ａ側の水溜部３の底面に上向きに開口され、この空気吹出口１０よりも図示左側に側壁１ａの開口２が配置されており、開口２から水溜部３内に流下する浴槽水と、吸込口３ａ，３ａ，３ａから吸込管４内に吸い込まれる水との間に、空気吹出口１０から気泡状に空気を噴出させて、気泡状の空気によるカーテンを形成させ、この気泡状の空気によるカーテンにより、吸込口３ａ，３ａ，３ａ側へのゴミの移動を遮断できるように構成されている。
このように構成することで、吸込口３ａ，３ａ，３ａからゴミ等が循環ポンプ６側へ吸い込まれることがなく、循環ポンプ６にゴミが吸い込まれることが良好に防がれるものである。
【００２７】
なお、水溜部３内に浴槽水を流下させるための開口２は、水溜部３内の図示左端側に開口されており、この左端側の開口２からガイド部３ｃにガイドされて水溜部３内の図示左端側に浴槽水が流下されるものであり、第５実施例において、空気吹出口１０を、開口２から流下される浴槽水の真下に上向きに配置して構成することもできる。
このように構成すれば、循環ポンプ６が作動されると、水溜部３内の水が吸込口３ａ，３ａ，３ａから吸込管４内に吸い込まれて、吐出管７を通り排出され、気泡発生器８を通りマイクロバブルを含んだ水流Ｗａが浴槽１内に噴出されて、浴槽１内で旋回流Ｗｂが発生し、旋回流Ｗｂにより浴槽水とともに髪の毛，ゴミ等が開口２から水溜部３内に流下されるものである。また、空気吹出口１０から気泡状に空気が噴出されるが、上向きに空気が噴出されることで、開口２から流下する浴槽水中のゴミ等の沈降距離が縮められることとなり、そのためゴミ等は水溜部３内で浮遊し、吸込口３ａ，３ａ，３ａ側にゴミ等が吸い込まれることが防がれ、循環ポンプ６へのゴミ等の吸い込みが防がれるものである。なお、水溜部３内で浮遊したゴミは、水溜部３の側面に設けられている排水バルブ９を操作することで外部に排出することができる。
なお、本例では３個の吸込口３ａ，３ａ，３ａを設けたものを例示しているが、吸込口３ａは１個でも良いし、３個より多くても良い。
【図面の簡単な説明】
【００２８】
【図１】第１実施例の浄化システムを取り付けた浴槽の外観斜視図である。
【図２】内部構造を示すために一部破断した浴槽の斜視構成図である。
【図３】図２の要部拡大構成図である。
【図４】第２実施例の浴槽の外観斜視図である。
【図５】第２実施例の内部構造を示す破断斜視構成図である。
【図６】第３実施例の浴槽の外観斜視構成図である。
【図７】第３実施例の内部構造を示す破断斜視構成図である。
【図８】第４実施例の浴槽の外観斜視構成図である。
【図９】第４実施例の内部構造を示す破断斜視構成図である。
【図１０】第５実施例の浴槽の外観斜視構成図である。
【図１１】第５実施例の内部構造を示す破断斜視構成図である。
【符号の説明】
【００２９】
１  浴槽
１ａ  側壁
２  開口
３  水溜部
３ａ  吸込口
３ｂ  排出口
３ｃ  ガイド部
４  吸込管
５  排出管
７  吐出管
８  気泡発生器
９  水抜きバルブ
１０  空気吹出口
１１  エアポンプ
１２  エア管
Ｗａ  水流
Ｗｂ  旋回流
Ｗｒ  渦流
【図１】
2009268601.tif 000003
【図２】
2009268601.tif 000004
【図３】
2009268601.tif 000005
【図４】
2009268601.tif 000006
【図５】
2009268601.tif 000007
【図６】
2009268601.tif 000008
【図７】
2009268601.tif 000009
【図８】
2009268601.tif 000010
【図９】
2009268601.tif 000011
【図１０】
2009268601.tif 000012
【図１１】
2009268601.tif 000013